(57)【要約】【課題】表示パネルの表示面に変形や反りが生じること及び表示パネルとフレームとの間に隙間ができることを抑制することができる表示モジュールを提供する。【解決手段】表示面に画像を表示させる表示パネル（液晶表示パネル）１０と、表示パネル１０の外縁を囲む形状であり、かつ、表示面に重なる領域に開口が形成されたフレーム２０と、表示面に直交する方向から投影視した場合、表示パネルの中心側の領域である内側領域が液晶表示パネル１０に連結され、表示パネルの中心から遠い側の領域である外側領域がフレーム２０に連結され、内側領域と外側領域とが離れている保持部材３０と、を有する。【選択図】図３
2014178368.tif 000002
【特許請求の範囲】
【請求項１】
表示面に画像を表示させる表示パネルと、
前記表示パネルの外縁を囲む形状であり、かつ、前記表示面に重なる領域に開口が形成されたフレームと、
前記表示面に直交する方向から投影視した場合、前記表示パネルの中心側の領域である内側領域が前記表示パネルに連結され、前記表示パネルの中心から遠い側の領域である外側領域が前記フレームに連結され、前記内側領域と前記外側領域とが離れている保持部材と、を有する表示モジュール。
【請求項２】
前記保持部材は、前記フレームよりも変形しやすい請求項１に記載の表示モジュール。
【請求項３】
前記保持部材は、前記内側領域と前記外側領域とが同じ面に設けられている請求項１または２に記載の表示モジュール。
【請求項４】
前記保持部材は、前記表示パネルの前記表示面とは反対側の面に連結されている請求項１から３のいずれか一項に記載の表示モジュール。
【請求項５】
前記保持部材は、光を遮光する遮光フィルムと、
前記遮光フィルムの表面に設けられ、前記表示パネル及び前記フレームと前記遮光フィルムと接着させる接着部材と、を含む請求項１から４のいずれか一項に記載の表示モジュール。
【請求項６】
前記接着部材は、両面テープである請求項５に記載の表示モジュール。
【発明の詳細な説明】
【技術分野】
【０００１】
本発明は、表示パネルと表示パネルを支持する支持体とを有する表示モジュールに関する。
【背景技術】
【０００２】
画像を表示する表示装置は、液晶表示パネル（液晶ディスプレイ、ＬＣＤ：Ｌｉｑｕｉｄ  Ｃｒｙｓｔａｌ  Ｄｉｓｐｌａｙ）、有機ＥＬパネル等、表示パネルに設けられた表示面に画像を表示させる。ここで、表示パネルは、板状の部材であり、外周が他の部材によって支持されている。
【０００３】
例えば、特許文献１に記載の液晶表示装置は、液晶パネルと、液晶パネルの背面側に対向するように配置されたバックライトと、を備えている。液晶パネルは、ベゼルとフレームに挟まれて支持され、バックライトは、バックライトシャーシに収容されている。また、液晶パネルは、背面側に偏光板が重ねられ、偏光板の周囲に全周にわたって両面テープが貼り付けられている。そして、当該両面テープに貼り付けられて、背面側の偏光板を覆うように封止シートが設けられている。
【先行技術文献】
【特許文献】
【０００４】
【特許文献１】特開２０１０−１９７７４９号公報
【発明の概要】
【発明が解決しようとする課題】
【０００５】
ここで、表示装置は、薄型化、軽量化のため、表示パネルと表示パネルを支持するフレームとを含む表示モジュールを薄型化、軽量化する場合がある。この場合、特許文献１に記載の装置のように表示パネルをベゼルとフレームとで挟んで支持する構造とすると、表示パネルの画像が表示される表示面とその反対側の面（背面）の両面より外側に支持する構造を配置することになり、薄型化に限界がある。
【０００６】
これに対して、両面テープ等で表示パネルをフレームに貼り付けて固定することでも、表示パネルをフレームに固定することができる。しかしながら、フレームは、表示装置の筐体等に固定される際に締め付け等により変形が生じると恐れがある。両面テープ等で表示パネルをフレームに貼り付けて固定する場合、フレームに変形が生じると、表示パネルが変形してセル厚が変動し、表示ムラが発生する恐れがある。また、フレームは、製造時の誤差等により反りが生じる場合がある。フレームに反りが生じるとフレームと表示パネルとの間に隙間ができ、そこから光漏れが発生する恐れもある。
【０００７】
本開示は、かかる問題点に鑑みてなされたもので、その目的は、フレームに反りが生じたり、表示パネルとフレームとの間に隙間ができたりしても、表示パネルの表示面に変形や反りの発生を抑制すし、表示ムラの発生を軽減することができる表示モジュールを提供することにある。
【課題を解決するための手段】
【０００８】
本開示の表示装置は、表示面に画像を表示させる表示パネルと、前記表示パネルの外縁を囲む形状であり、かつ、前記表示面に重なる領域に開口が形成されたフレームと、前記表示面に直交する方向から投影視した場合、前記表示パネルの中心側の領域である内側領域が前記表示パネルに連結され、前記表示パネルの中心から遠い側の領域である外側領域が前記フレームに連結され、前記内側領域と前記外側領域とが離れている保持部材と、を有する。
【発明の効果】
【０００９】
本開示は、フレームに反りが生じたり、フレームとの間に隙間ができたりしても、表示パネルの表示面に変形や反りを発生させることなく、表示ムラを軽減することができる。
【図面の簡単な説明】
【００１０】
【図１】図１は、本実施形態に係る表示装置を示す概略図である。
【図２】図２は、本実施形態に係る表示装置が備える液晶表示モジュールの断面図である。
【図３】図３は、液晶表示モジュールの斜視図である。
【図４】図４は、比較例の表示装置の断面図である。
【発明を実施するための形態】
【００１１】
本開示の実施形態につき、図面を参照しつつ、次に示す順序で詳細に説明する。
１．表示装置
１−１．全体構成
１−２．液晶表示モジュールの詳細
２．本開示の構成
【００１２】
［１．表示装置］
＜１−１．全体構成＞
図１は、本実施形態に係る表示装置を示す概略図である。本実施形態の表示モジュールを表示装置１に用いた場合について、説明する。表示装置１は、乗用車、バスまたはトラック等の車両に搭載されて、車両のフロントウインドウＷに車両の速度や進行方向、周囲の状況などの情報を表示するヘッドアップディスプレイである。表示装置１を用いることにより、車両の運転者Ｄは、前景からほとんど視線を逸らさずに、フロントウインドウＷに表示された情報を視認することができる。
【００１３】
表示装置１は、車両のフロントパネルＩＰ内に収納されている。表示装置１は、光源２と、液晶表示モジュール３と、ミラー４とを含む。光源２は、例えば、ＬＥＤ（Light  Emitting  Diode）であるが、これに限定されるものではない。
【００１４】
図２は、本実施形態に係る表示装置が備える液晶表示モジュールの断面図である。液晶表示モジュール３は、画像Ｐを表示する表示面３ＰＥを備えている。ミラー４は凹面鏡である。液晶表示モジュール３の表示面３ＰＥから照射された光はミラー４に照射され、画像Ｐを投影する。表示装置１は、ミラー４と対向する位置に、開口部５を有している。
【００１５】
液晶表示モジュール３が投影した画像Ｐは、ミラー４によって反射されて、開口部５を通過してフロントウインドウＷに投影される。ミラー４は、画像Ｐを拡大してフロントウインドウＷに投影する。運転者Ｄは、フロントウインドウＷを通して、液晶表示モジュール３が投影した画像Ｐの虚像ＰＩを視認する。
【００１６】
＜１−２．液晶表示モジュールの詳細＞
（液晶表示モジュールの構成）
次に、液晶表示モジュール３について説明する。図２は、本実施形態に係る表示装置が備える液晶表示モジュールの断面図である。図３は、液晶表示モジュールの斜視図である。図２は、液晶表示モジュール３の表示面の端部近傍を切断した断面を示している。また、液晶表示モジュール３の表示面３ＰＥ側の面が図中上側となり、光源２側の面が図中下側となる向きで示している。図３は、液晶表示モジュール３を表示面３ＰＥと反対側の面、つまり光源２側から見た状態を示している。また、液晶表示モジュール３は、表示面に直交する方向から投影視した場合における、液晶表示パネル１０の中心（つまり表示面３ＰＥの中心）に近づく方向を内側の方向といい、液晶表示パネル１０の中心（つまり表示面３ＰＥの中心）から離れる方向を外側の方向という。液晶表示モジュール３の断面を示す場合は、断面において、液晶表示パネル１０の中心、表示面３ＰＥの中心に近づく方向を内側の方向、液晶表示パネル１０の中心、表示面３ＰＥの中心から離れる方向を外側の方向とする。
【００１７】
図２及び図３に示すように、液晶表示モジュール３は、画像Ｐを表示する液晶表示パネル１０と、液晶表示パネル１０の周囲に配置され、液晶表示パネル１０を保護するフレーム２０と、液晶表示パネル１０をフレーム２０に対して連結させる保持部材３０と、を備えている。
【００１８】
液晶表示パネル１０は、画像を表示する基板ユニット１１と、この基板ユニット１１を挟んで基板ユニット１１の表面に設置される一対の偏光板１２Ａ，１２Ｂを備えている。基板ユニット１１は、２枚の基板と２枚の基板に挟まれた液晶層とを有する。基板ユニット１１の２枚の基板には、複数の画素に対応した、配線や電極、カラーフィルタ等が形成されている。基板ユニット１１は、各画素に対応する配線や電極に印加する電圧を制御し、各画素に対応する液晶層に形成される電界を制御することで、各画素の光の偏光状態を切り換える。
【００１９】
液晶表示パネル１０は、電圧を印加することにより液晶を配向して特定の方向の光を透過させ、偏光板１２Ａ、基板ユニット１１及び偏光板１２Ｂの順で通過する光が、偏光板１２Ｂを通過するか否かを切り換える。これにより、液晶表示パネル１０は、画像Ｐの光を出力することができる。ここで、液晶表示パネル１０は、ＦＦＳ（Ｆｒｉｎｇｅ  Ｆｉｅｌｄ  Ｓｗｉｔｃｈｉｎｇ）型、ＩＰＳ（Ｉｎ−Ｐｌａｎｅ  Ｓｗｉｔｃｈｉｎｇ）型、ＴＮ（Ｔｗｉｓｔｅｄ  Ｎｅｍａｔｉｃ）型、ＯＣＢ（Ｏｐｔｉｃａｌｌｙ  Ｃｏｍｐｅｎｓａｔｅｄ  Ｂｅｎｄ、Ｏｐｔｉｃａｌｌｙ  Ｃｏｍｐｅｎｓａｔｅｄ  Ｂｉｒｅｆｒｉｎｇｅｎｃｅ）型、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）型等種々の型の液晶表示ディスプレイを用いることができる。つまり、液晶表示パネル１０は、画像を表示できればよく、基板ユニット１１に形成される回路構成や、液晶の構成として種々の方式を用いることができる。
【００２０】
ここで、液晶表示モジュール３は、図３に示すように、液晶表示パネル１０の画像Ｐを表示させる表示面が正方形となる。
【００２１】
次に、フレーム２０は、具体的には保持部材３０を介して液晶表示パネル１０を支持する部材である。フレーム２０は、液晶表示パネル１０の外側に配置されている。つまり、内側に液晶表示パネル１０が配置されている。フレーム２０は、中心側に開口が形成され、液晶表示パネル１０の側面（表示面の外縁）の外側の全面に配置されている。つまり、フレーム２０は、内側に開口が形成された枠である。液晶表示パネル１０の表示面とその反対側の面は、フレーム２０の開口によって露出した状態となる。また、フレーム２０は、表示面に直交する方向から投影視した場合の外縁（外側の端部）及び内縁（内側の端部）の形状が、液晶表示パネル１０と同じ正方形である。フレーム２０は、金属や樹脂等、例えば、金属であればステンレス鋼で形成されている。フレーム２０は、剛性が高い材料で形成することが好ましい。これにより、液晶表示パネル１０を好適に支持することができ、また、外部からの応力等からも保護することができる。
【００２２】
フレーム２０は、液晶表示パネル１０の側面と対面した壁部２１と、壁部２１のミラー４側（図２中上側）に連結され、液晶表示パネル１０の側面（内側）側に突出した折り返し部２２Ａと、壁部２１の光源２側（図２中下側）に連結され、液晶表示パネル１０の側面側に突出した折り返し部２２Ｂと、を有する。つまり、フレーム２０は、壁部２１の両端のそれぞれに、液晶表示パネル１０側に突出した折り返し部２２Ａ、２２Ｂが連結された形状、すなわち３辺が直線で繋がり、液晶表示パネル１０側に開放したＵ字形状である。本実施形態の壁部２１は、表示面に直交する方向の長さが、液晶表示パネル１０と同じか大きい。折り返し部２２Ａは、液晶表示パネル１０側の端部が、液晶表示パネル１０の表示面の外縁よりも外側となる。つまり、折り返し部２２Ａは、表示面との間に一定の隙間がある。折り返し部２２Ｂは、液晶表示パネル１０側の端部が、液晶表示パネル１０の表示面の反対側の面の外縁よりも外側となる。つまり、折り返し部２２Ａは、表示面の反対側の面との間に一定の隙間がある。
【００２３】
保持部材３０は、フレーム２０の折り返し部２２Ｂの光源２側の面及び液晶表示パネル１０の偏光板１２Ｂの光源２側の面に連結し、フレーム２０と液晶表示パネル１０とを連結している。つまり、保持部材３０は、光源２側の面から、フレーム２０と液晶表示パネル１０に連結している。保持部材３０は、図３に示すように、表示面に直交する方向から投影視した場合、液晶表示パネル１０の外側の端部（外縁）の全周及びフレーム２０の内側の端部（内縁）の全周に配置されている。また、保持部材３０は、内側に開口が形成され、外側の端部がフレーム２０の外側の端部より内側となる。以上より、保持部材３０は、内側に正方形の開口が形成された正方形のシート状の部材となる。
【００２４】
保持部材３０は、遮光フィルム３１と、両面テープ３２と、を備えている。遮光フィルム３１は、遮光性（光を遮る機能）及び伸縮性を備えるフィルムである。遮光フィルム３１は、遮光性及び伸縮性を有する樹脂製等で作製されている。遮光フィルム３１は、例えば、遮光性の高い黒いＰＥＴフィルムで作製されている。なお、遮光フィルム３１は、伸縮性を備える材料で作製したフィルムに、遮光性を備えるための処理を施してもよい。
【００２５】
両面テープ３２は、表面に接着剤または粘着剤が塗布されたシート状の部材であり、保持部材３０のミラー４側の面、つまり、液晶表示パネル１０及びフレーム２０と対面する面に設けられている。両面テープ３２は、保持部材３０と、液晶表示パネル１０及びフレーム２０とに貼り付けられ、保持部材３０と、液晶表示パネル１０及びフレーム２０とを連結する。
【００２６】
保持部材３０は、例えば、ロール状に巻かれた遮光フィルム３１に両面テープ３２を付けた上で、両面テープ３２の素材が付けられた遮光フィルム３１の素材を金型で枠状に打ち抜いて作製することができる。
【００２７】
保持部材３０は、液晶表示パネル１０及びフレーム２０と対面する面、つまり、ミラー４側の面のうち、両面テープ３２の内側の縁を含む範囲Ａ１に含まれる内側領域Ｆ１が液晶表示パネル１０の偏光板１２Ｂと接触し、偏光板１２Ｂに連結されている（貼り付けられている）。内側領域Ｆ１は、表示面３ＰＥに直交する方向から投影視した場合、保持部材３０の液晶表示パネル１０の中心側の領域となる。また、保持部材３０は、両面テープ３２のミラー４側の面のうち、範囲Ａ１よりも外側の範囲Ａ２に含まれる隙間Ｓがフレーム２０の折り返し部２２Ｂと液晶表示パネル１０の偏光板１２Ｂとの間に配置され、他の部材と接触していない状態となる。隙間Ｓの幅は、例えば、１ｍｍである。保持部材３０は、両面テープ３２のミラー４側の面のうち、範囲Ａ２よりも外側で、両面テープ３２の外側の縁を含む範囲Ａ３に含まれる外側領域Ｆ２がフレーム２０の折り返し部２２Ｂに接触し、折り返し部２２Ｂに連結されている（貼り付けられている）。外側領域Ｆ２は、表示面３ＰＥに直交する方向から投影視した場合、保持部材３０の液晶表示パネル１０の中心から遠い側の領域となる。
【００２８】
このように、保持部材３０は、内側から外側に向けて、内側領域Ｆ１、隙間Ｓ、外側領域Ｆ２が並んでいる。つまり、保持部材３０は、液晶表示パネル１０と連結されている内側領域Ｆ１と、フレーム２０と連結されている外側領域Ｆ２との間に隙間Ｓが形成され、離れた状態となる。
【００２９】
（作用及び効果）
液晶表示モジュール３は、以上のように、保持部材３０を介して液晶表示パネル１０をフレーム２０に連結している。また、保持部材３０は、液晶表示パネル１０と連結する内側領域Ｆ１とフレーム２０に連結している外側領域Ｆ２との間に隙間Ｓを設けている。また、保持部材３０は、伸縮性及び柔軟性を有する遮光フィルム３１に両面テープ３２を貼り付けており、保持部材３０が変形可能となる。これにより、液晶表示モジュール３は、フレーム２０に生じた変形を保持部材３０で吸収でき、保持部材３０によってフレーム２０の変形により液晶表示パネル１０に加わるストレスを緩和することができる。これにより、液晶表示パネル１０が変形することを抑制することができ、表示ムラの発生を抑制することができる。以下、より具体的に説明する。
【００３０】
図４は、比較例の表示装置の断面図である。図４では、図２と同様の位置の断面の形状を示している。図４に示す液晶表示モジュール１０３は、液晶表示パネル１０と、フレーム１２０と、保持部材１３０と、を有する。液晶表示パネル１０は、液晶表示モジュール３の液晶表示パネル１０と同様の構成である。フレーム１２０は、壁部１２１の光源２側に連結された折り返し部１２２Ｂの内側の端部が、液晶表示パネル１０の偏光板１２Ｂの外側の端部よりも内側にある。つまり、液晶表示モジュール１０３は、表示面に直交する方向から投影視した場合、偏光板１２Ｂの外側の一部と折り返し部１２２Ｂの内側の一部とが重なっている。
【００３１】
保持部材１３０は、偏光板１２Ｂの外側の一部と折り返し部１２２Ｂの内側の一部とが重なっている部分に設けられている。保持部材１３０は、両面に接着剤や粘着剤が塗布されたシート状の部材である。保持部材１３０は、ミラー４側の面で、かつ内側の領域である第１領域Ｆ１Ａが偏光板１２Ｂと接触し、偏光板１２Ｂに連結されている。保持部材１３０は、光源２側の面で、かつ外側の領域である第２領域Ｆ２Ａが折り返し部１２２Ｂと接触し、折り返し部１２２Ｂに連結されている。
【００３２】
図４に示すように、液晶表示パネル１０とフレーム１２０との重なる部分を保持部材１３０によって連結する構成では、フレーム１２１が変形すると液晶表示パネル１０もつられて変形する。液晶表示パネル１０が変形すると、液晶表示パネル１０内の液晶配向異常が生じ、液晶表示パネル１０に表示ムラが発生する可能性がある。
【００３３】
これに対し、本実施形態に係る液晶表示モジュール３は、表示面に直交する方向から投影視した場合、保持部材３０が隙間Ｓを介して液晶表示パネル１０とフレーム２０とに連結している。これにより、フレーム２０に変形が生じた場合、外側領域Ｆ２がフレーム２０の変形に合わせて変形しても、保持部材３０の隙間Ｓで外側領域Ｆ２から内側領域Ｆ１に向かうにしたがって変形を小さくすることができる。つまり隙間Ｓで外側領域Ｆ２に生じた変形を吸収できるため、フレーム２０の変形により液晶表示パネル１０が変形しないで、液晶表示パネル１０の内部の液晶配向異常が生じないため、液晶表示パネル１０に表示ムラの発生を抑制することができる。
【００３４】
また、フレーム２０は、製造時の誤差等によりフレーム２０自体に反りが生じる場合がある。このため、図４に示すように液晶表示パネル１０の偏光板１２Ｂをフレーム１２０の折り返し部１２２Ｂに接着部材１３２で貼り付けた場合、フレーム１２０と液晶表示パネル１０との間に隙間ができ、そこから光漏れが発生する可能性があった。
【００３５】
これに対し、本実施形態に係る液晶表示モジュール３では、保持部材３０は、柔軟性を有するため、偏光板１２Ｂとフレーム２０の折返し部２２Ｂに隙間なく粘着または接着でき、さらに遮光性を有するため液晶表示パネル１０とフレーム２０の間から光が漏れることを防ぐことができる。
【００３６】
また、本実施形態の液晶表示モジュール３は、シート形状の保持部材３０のみで、液晶表示パネル１０をフレーム２０に連結することができ、装置を薄型化、軽量化することができる。つまり、液晶表示パネル１０を表示面及び反対側の面の両方から挟み込む必要がなくなるため、フレーム２０を薄型化することができる。さらに、液晶表示パネル１０を表示面及び反対側の面の両方から挟み込む機構が必要ないため、この点でもフレーム２０を薄型化することができる。また、これらの機構が不要となることで、フレームの重量も軽くすることができる。これにより、装置を薄型化、軽量化することができる。
【００３７】
また、本実施形態の液晶表示モジュール３は、液晶表示パネル１０の周縁部にフレーム２０に固定するための掛かり代を設け、この掛かり代の部分で液晶表示パネル１０をフレーム２０に固定する必要がないため、掛かり代に対応する領域分、液晶表示パネル１０を小さくすることができる。これにより、液晶表示パネル１０の製造時にマザー基板からより多くの液晶表示パネル１０を製造することができる。
【００３８】
ここで、本実施形態の液晶表示パネル１０は、表示面の外形を正方形状としたが、これに限定されない。液晶表示パネル１０は、長方形としてもよい。また矩形に限定されず、平行四辺形や、楕円、円、多角形としてもよい。フレーム２０及び保持部材３０も、液晶表示パネル１０と同様に種々の形状とすることができる。なお、液晶表示モジュール３は、表示面に直交する方向から投影視した場合、保持部材３０のフレーム２０と連結（接触）している領域と保持部材３０の連結（接触）している領域との間に隙間を設ける必要がある。
【００３９】
なお、本実施形態の液晶表示モジュール３は、遮光フィルム３１として、耐熱性や耐食性の高い材料を用いることが好ましい。これにより、本実施形態のようにヘッドアップディスプレイである表示装置１の液晶表示モジュール３に用いた場合でも、遮光フィルム３１が熱により変質したり、変形したりすることを抑制することができる。
【００４０】
上記実施形態の保持部材３０は、遮光部材３１と両面テープ３２を積層させ、両面テープ３２で液晶表示パネル１０及びフレーム２０に連結させたが、これに限定されない。保持部材３０は、液晶表示パネル１０及びフレーム２０に連結すればよい。保持部材３０は、両面テープ３２に代えて接着剤や粘着剤等の粘着性または接着性を有する材料を遮光部材３１に塗布してもよい。また、保持部材３０は、ネジ止め等の機械的機構で、液晶表示パネル１０及びフレーム２０の少なくとも一方と連結していてもよい。また、保持部材３０は、シート状の部材として、伸縮性を有する樹脂性のフィルム以外にも金属製のフィルム、例えばアルミニウムのテープを用いることもできる。
【００４１】
また、保持部材３０は、上述したようにフレーム２０よりも変形しやすい、つまり剛性の低い材料で形成することが好ましい。これにより、フレーム２０の変形をより吸収することができ、液晶表示パネル１０に変形が生じることを抑制することができる。なお、保持部材３０は、フレーム２０よりも変形しやすいことが好ましいが、液晶表示パネル１０及びフレーム２０の両者と隙間Ｓを設けて連結された構造によって、変形を吸収することができるため、フレーム２０よりも変形しにくいまたは同じ程度であっても、液晶表示パネル１０に変形が生じることを抑制することができる。
【００４２】
また、フレーム２０は、種々の形状とすることができる。例えば、折り返し部２２Ａを設けなくてもよいし、壁部２１を設けなくてもよい。また上記実施形態の液晶表示モジュール３は、保持部材３０を液晶表示パネル１０及びフレーム２０の光源２側の面に設けたが、ミラー４側、つまり表示面側に設けてもよい。また、保持部材３０は、フレーム２０の折り返し部２２Ｂの折り返し部２２Ａ側の面と連結してもよい。保持部材３０は、フレーム２０のＵ字形状の内側の面と連結してもよい。
【００４３】
以上、本開示について説明したが、上述した内容により本開示が限定されるものではない。また、上述した本開示の構成要素には、当業者が容易に想定できるもの、実質的に同一のもの、いわゆる均等の範囲のものが含まれる。さらに、上述した構成要素は適宜組み合わせることが可能である。また、本開示の要旨を逸脱しない範囲で構成要素の種々の省略、置換及び変更を行うことができる。例えば、上記実施形態では、画像を表示する表示パネルを液晶表示パネルとし、表示モジュールを液晶表示モジュールとしたがこれに限定されない、表示モジュールは、液晶表示パネル以外の画像を表示する表示パネルを用いてもよい。この場合も表示パネルの変形を抑制することで表示ムラの発生を抑制することができる。
【００４４】
また、本実施形態に係る表示モジュールは、ヘッドアップディスプレイ以外にも、カーナビゲーションシステム、テレビジョン装置、デジタルカメラ、ノート型パーソナルコンピュータ、携帯電話等の携帯端末装置あるいはビデオカメラなどのあらゆる分野の電子機器に適用することが可能である。言い換えると、本実施形態に係る表示モジュールは、外部から入力された映像信号あるいは内部で生成した映像信号を、画像あるいは映像として表示するあらゆる分野の電子機器に適用することが可能である。電子機器は、表示パネルに映像信号を供給し、表示パネルの動作を制御する制御装置を備える。
【００４５】
［２．本開示の構成］
本開示は、次のような構成を採ることができる。
（１）
表示面に画像を表示させる表示パネルと、
前記表示パネルの外縁を囲む形状であり、かつ、前記表示面に重なる領域に開口が形成されたフレームと、
前記表示面に直交する方向から投影視した場合、前記表示パネルの中心側領域である内側領域が前記表示パネルに連結され、前記表示パネルの中心から遠い側の領域である外側領域が前記フレームに連結され、前記内側領域と前記外側領域とが離れている保持部材と、を有する表示モジュール。
（２）
前記保持部材は、前記フレームよりも変形しやすい（１）に記載の表示モジュール。
（３）
前記保持部材は、前記内側領域と前記外側領域とが同じ面に設けられている（１）または（２）に記載の表示モジュール。
（４）
前記保持部材は、前記表示パネルの前記表示面とは反対側の面に連結されている（１）から（３）のいずれか一つに記載の表示モジュール。
（５）
前記保持部材は、光を遮光する遮光フィルムと、
前記遮光フィルムの表面に設けられ、前記表示パネル及び前記フレームと前記遮光フィルムと接着させる接着部材と、を含む（１）から（４）のいずれか一つに記載の表示モジュール。
（６）
前記接着部材は、両面テープである（５）に記載の表示モジュール。
【符号の説明】
【００４６】
１  表示装置
２  光源
３  液晶表示モジュール
３ＰＥ  表示面
４  ミラー
５  開口部
１０  液晶表示パネル
１１  基板ユニット
１２Ａ，１２Ｂ  偏光板
２０  フレーム
２１  壁部
２２Ａ，２２Ｂ  折り返し部
３０  保持フィルム
３１  遮光フィルム
３２  両面テープ
Ａ１，Ａ２，Ａ３  範囲
Ｄ  運転者
Ｆ１  内側領域
Ｆ１Ａ  第１領域
Ｆ２  外側領域
Ｆ２Ａ  第２領域
ＩＰ  フロントパネル
Ｐ  画像
ＰＩ  虚像
Ｗ  フロントウインドウ
【図１】
2014178368.tif 000003
【図２】
2014178368.tif 000004
【図３】
2014178368.tif 000005
【図４】
2014178368.tif 000006